(57)【特許請求の範囲】
【請求項１】
画像形成指示装置と、文書管理装置と、画像形成装置と、を含み、
前記画像形成指示装置は、
操作者を撮像する撮像手段、前記文書管理装置に前記撮像手段で撮像された操作者の画像及び形成の対象となる文書情報を特定する特定情報を送出する送出手段、前記文書管理装置に格納された前記形成の対象となる文書情報を取得する取得手段、取得した前記形成の対象となる文書情報を前記画像形成装置へ送信する際に、現在の操作者の顔を含む画像を撮像して前記文書管理装置に送出された前記操作者の画像と比較して一定以上一致する場合は前記形成の対象となる文書情報を前記画像形成装置へ送信する印刷制御手段、を含み、
前記文書管理装置は、
電子化された文書及び予め登録された操作者の画像を含む情報を記憶する情報記憶手段、前記予め登録された操作者の画像と前記画像形成指示装置から送出された前記操作者の画像とを比較して一定以上一致する場合は前記文書情報の提供を行う制御手段、を含む、
ことを特徴とする画像形成システム。
【請求項２】
第１のコンピュータに、
操作者を撮像する撮像機能、第２のコンピュータに撮像された操作者の画像及び形成の対象となる文書情報を特定する特定情報を送出する送出機能、前記形成の対象となる文書情報を取得する取得機能、取得した前記形成の対象となる文書情報を画像形成装置へ送信する際に、現在の操作者の顔を含む画像を撮像して前記第２のコンピュータに送出された前記操作者の画像と比較して一定以上一致する場合は前記形成の対象となる文書情報を前記画像形成装置へ送信する印刷制御機能、を実現し、
第２のコンピュータに、
電子化された文書及び予め登録された操作者の画像を含む情報を記憶する情報記憶機能、前記予め登録された操作者の画像と前記第１のコンピュータから送出された前記操作者の画像とを比較して一定以上一致する場合は前記文書情報の提供を行う制御機能、を実現する、
ことを特徴とするプログラム。
【発明の詳細な説明】
【技術分野】
【０００１】
本発明は、画像形成システム及びプログラムに関する。
【背景技術】
【０００２】
操作者を撮影するカメラと、カメラにより撮影された操作者の顔を示す顔データが、予め操作者の顔を示す顔データを登録した顔データ保存部に登録されている顔データを検索した結果に基づいて、登録者のものであるか否かを認証する認証部と、認証部の認証結果によって登録者のもので無いと判断した場合、登録者でない者が実行できる所定の機能のみを制御する制御部とを具備する画像形成装置が知られている（特許文献１）。
【０００３】
画像を表示可能な表示パネルおよび画像を撮影する内蔵カメラを含み、文字や画像データをネットワークへ送信可能なパーソナルコンピュータにおいて、パーソナルコンピュータの起動時に内蔵カメラによりパーソナルコンピュータの操作者の画像を自動的に撮影する自動画像撮影手段を備えるパーソナルコンピュータも知られている（特許文献２）。
【先行技術文献】
【特許文献】
【０００４】
【特許文献１】特開２００６−０８１１４７号公報
【特許文献２】特開２００６−３４４０９９号公報
【発明の概要】
【発明が解決しようとする課題】
【０００５】
従来は、印刷指示したユーザーでない者がなりすまして印刷物を持ち去る問題があった。
本発明は、印刷指示したユーザーではない者のなりすましを抑制することができる画像形成システム及びプログラムを提供することを目的とする。
【課題を解決するための手段】
【０００７】
前記課題を解決するために、請求項１に記載の画像形成システムは、
画像形成指示装置と、文書管理装置と、画像形成装置と、を含み、
前記画像形成指示装置は、
操作者を撮像する撮像手段、前記文書管理装置に前記撮像手段で撮像された操作者の画像及び形成の対象となる文書情報を特定する特定情報を送出する送出手段、前記文書管理装置に格納された前記形成の対象となる文書情報を取得する取得手段、取得した前記形成の対象となる文書情報を前記画像形成装置へ送信する際に、現在の操作者の顔を含む画像を撮像して前記文書管理装置に送出された前記操作者の画像と比較して一定以上一致する場合は前記形成の対象となる文書情報を前記画像形成装置へ送信する印刷制御手段、を含み、
前記文書管理装置は、
電子化された文書及び予め登録された操作者の画像を含む情報を記憶する情報記憶手段、前記予め登録された操作者の画像と前記画像形成指示装置から送出された前記操作者の画像とを比較して一定以上一致する場合は前記文書情報の提供を行う制御手段、を含む、
ことを特徴とする。
【０００８】
前記課題を解決するために、請求項２に記載のプログラムは、
第１のコンピュータに、
操作者を撮像する撮像機能、第２のコンピュータに撮像された操作者の画像及び形成の対象となる文書情報を特定する特定情報を送出する送出機能、前記形成の対象となる文書情報を取得する取得機能、取得した前記形成の対象となる文書情報を画像形成装置へ送信する際に、現在の操作者の顔を含む画像を撮像して前記第２のコンピュータに送出された前記操作者の画像と比較して一定以上一致する場合は前記形成の対象となる文書情報を前記画像形成装置へ送信するか印刷制御機能、を実現し、
第２のコンピュータに、
電子化された文書及び予め登録された操作者の画像を含む情報を記憶する情報記憶機能、前記予め登録された操作者の画像と前記第１のコンピュータから送出された前記操作者の画像とを比較して一定以上一致する場合は前記文書情報の提供を行う制御機能、を実現する、
ことを特徴とする。
【発明の効果】
【０００９】
請求項１及び２に記載の発明によれば、文書管理装置から取得した文書情報を画像形成装置へ送信する際に、現在の操作者の顔を含む画像を撮像して文書管理装置に文書送出要求をした操作者の画像と比較して文書情報を画像形成装置へ送信する印刷制御手段を有さない場合に比して、印刷指示したユーザーではない者のなりすましを抑制することができる。
【図面の簡単な説明】
【００１０】
【図１】画像形成システム１の構成例を示す構成ブロック図である。
【図２】画像形成指示装置１０のハードウェア構成を示すブロック図である。
【図３】文書管理装置２０のハードウェア構成を示すブロック図である。
【図４】画像形成装置３０のハードウェア構成を示すブロック図である。
【図５】画像形成システム１の動作の流れを示すフローチャートである。
【図６】画像形成システム１Ａの動作の流れを示すフローチャートである。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１２】
「第１実施形態」
（１）画像形成装置の全体構成及び動作
図１は本実施形態に係る画像形成システム１の構成例を示す構成ブロック図、図２は画像形成指示装置１０のハードウェア構成を示すブロック図、図３は文書管理装置２０のハードウェア構成を示すブロック図、図４は画像形成装置３０のハードウェア構成を示すブロック図である。
以下、図面を参照しながら、画像形成システム１の全体構成を説明する。
【００１３】
（１．１）全体構成
画像形成システム１は、画像形成指示装置１０と、文書管理装置２０と、画像形成装置３０とを含んで構成されている。ここで画像形成指示装置１０と文書管理装置２０とが互いに通信可能に接続され、また画像形成指示装置１０と画像形成装置３０とが互いに通信可能に接続されている。
【００１４】
（１．２）画像形成指示装置
画像形成指示装置１０は、ＣＰＵ１１、ＲＯＭ１２、制御部１３、通信部１４、記憶部１５、操作部１６、表示部１７及び操作者の画像を撮像する第１の撮像手段の一例としての人検知装置１００を備えている。尚、人検知装置１００は、画像形成指示装置１０と分離して、例えば、画像形成システム１が設置されたオフィス空間内に配置されてもよい。
【００１５】
人検知装置１００は、人検知カメラ１２０、揮発性メモリからなる画像蓄積部１３０、送信部１４０、制御部１５０を備えている。
人検知カメラ１２０は、撮像部１２１と、映像出力部１２２とを備えている。撮像部１２１は、更に、画像センサ１２１ａ（不図示）と、光学像を画像センサ１２１ａの受光エリアに形成する光学レンズ１２１ｂ（不図示）と、を備えている。また、撮像部１２１は、これ以外に必要な回路等も含んでいる。
画像センサ１２１ａとしては、画像形成指示装置１０が設置された空間の定められた領域において、人の顔領域あるいは移動する人の全身領域の有無、形状（輪郭）等を検出するものであり、例えば、イメージセンサ（ＣＣＤイメージセンサやＣＭＯＳイメージセンサ）が適用可能である。映像出力部１２２は、撮像部１２１によって撮像した画像に対して、デジタル変換、ノイズ除去といった処理を施し、得られたデジタルデータを画像蓄積部１３０に出力する。
【００１６】
また、人検知カメラ１２０は、制御部１５０からの指示に応じて撮像部１２１の撮像方向を変化させる撮像方向可変機構１２３（不図示）を備えている。具体的には、撮像方向可変機構１２３は、ターンテーブル、チルト機構等であり、撮像部１２１の撮像方向を変化させて、画像を多方向から撮像して撮像される人の特徴を詳細に記録することができる。
【００１７】
また、人検知装置１００としては、同一構成の人検知カメラ１２０を複数備えた構成であってもよい。そして、それぞれの人検知カメラ１２０で画像を多方向から撮像して撮像される人の特徴をより詳細に記録することができる。
【００１８】
ＣＰＵ１１は、ＲＯＭ１２に記憶されたプログラムを実行することにより、画像形成指示装置１０の各部を制御する。制御部１３は、操作者から操作者名やパスワードなどの入力を受けて、これらを予め定められたデータベース（例えば記憶部１５に格納された特定情報）から取得して一致するか否かを判断することで操作者の認証を行う。
認証した操作者から対象となる文書情報を特定する特定情報を受け入れると、文書管理装置２０に対し、形成の対象となる文書情報を特定する特定情報とともに人検知カメラ１２０で撮像された操作者の顔を含む画像データを通信部１４を介して送出する。
【００１９】
さらに、制御部１３は、文書管理装置２０から取得した形成の対象となる文書情報を通信部１４を介して送出し、画像形成装置３０に形成の対象となる文書情報を取得させ、画像形成を行わせる。
【００２０】
記憶部１５は、ハードディスクなどの記憶装置であり、文書管理装置２０から送信されてきた文書情報が一時的に格納され、プリンタドライバが記憶されている。プリンタドライバは、画像形成装置３０を制御する機能を有するプログラムであり、操作者の識別情報が設定されている。操作部１６は、例えばキーボードとマウスで構成され、表示部１７は、印刷データとしての文書情報に応じた画像を表示する。
【００２１】
（１．３）文書管理装置
文書管理装置２０は、ＣＰＵ２１、ＲＯＭ２２、制御部２３、通信部２４、記憶部２５を備え、データを保持すると共に、保持するデータを画像形成指示装置１０からの要求に応じて画像形成指示装置１０に提供する。
【００２２】
ＣＰＵ２１は、ＲＯＭ２２に記憶されたプログラムを実行することにより、文書管理装置２０の各部を制御する。制御部２３は、画像形成指示装置１０から、形成の対象となる文書情報を特定する特定情報とともに操作者の顔を含む画像データを受け付けて、受け付けた操作者の画像データを予め登録されたデータベース（例えば記憶部２５に格納された操作者の画像データ）から取得した操作者の画像と比較し、一致するか否かを判断することで文書情報の送信の可否を判断する。
【００２３】
記憶部２５には、形成の対象となる文書情報及び予め登録された利用者としての操作者の顔を含む画像が記憶される。形成の対象となる文書情報としては、文書の種類を表す文書種、印刷ジョブのイメージファイル名、印刷ジョブの情報ファイル名等がそれぞれ文書情報を特定する特定情報に関連付けて記憶される。
操作者の顔を含む画像は、操作者名やパスワードなどの認証情報と関連付けて記憶される。
【００２４】
通信部２４は、通信回線に接続される通信インターフェースであり、画像形成指示装置１０から、形成の対象となる文書情報を特定する特定情報とともに操作者の顔を含む画像データを受け、形成の対象となる文書情報を画像形成指示装置１０に送信する。
【００２５】
（１．４）画像形成装置
画像形成装置３０は、原稿から画像を読み取って画像データに変換する読取部３１、読み取った画像データを記録媒体としての用紙に印刷する画像形成部３２、ユーザーインターフェイスとしての操作情報部３３、画像形成装置３０全体の動作を制御する制御装置３４、第２の撮像手段としての人検知装置１００Ａを備えて構成されている。
【００２６】
読取部３１は、原稿をＣＣＤ（Charge Coupled Device）ラインセンサ等のイメージセンサ（不図示）で読み取り、読み取られた画像は電気信号である画像データに変換される。
【００２７】
画像形成部３２は、例えば、電子写真方式により、入力された画像データに基づく画像を紙等の記録媒体上に形成する。
【００２８】
操作情報部３３は、液晶表示パネル、各種操作ボタン、タッチパネル等を組み合わせて構成され、画像形成装置３０の操作者は、操作情報部３３を介して各種の設定や指示の入力を行う。また、液晶表示パネルを介して画像形成装置３０の操作者へ各種情報を表示する。
【００２９】
人検知装置１００Ａは、移動体を検知する人感センサ１１０と、人検知カメラ１２０が装着されている。人感センサ１１０及び人検知カメラ１２０は、移動体としての人を検知し、人感センサ１１０で検知された検知信号、人検知カメラ１２０で撮像された画像データを制御装置３４へ送信する。
【００３０】
人感センサ１１０は、焦電素子、レンズ、ＩＣ、プリント基板などを備え、人が動く際におこる赤外線の変化量を検出し、検出した変化量が予め定められた基準値を上回った場合に、予め定められた領域内に人が入ってきたことを検知する焦電型センサ１１１と、焦電型センサ１１１を実装する基板１１２とを備えている。
【００３１】
制御装置３４は、図４に示すように、画像形成装置３０の動作を制御する画像形成装置制御部３４１、印刷処理要求に応じた画像データを準備するコントローラ部３４２、画像形成指示装置１０から送信される形成の対象となる文書情報と操作者の画像を受け付ける情報取得部３４３、人検知カメラ１２０で撮像された画像データを取得する画像取得部３４４、画像データと情報取得部３４３で受け付けた操作者の画像とを比較して文書情報の印刷の可否を判断する印刷制御部３４５、ユーザーインターフェイス（ＵＩ）制御部３４６、を備えている。
【００３２】
（２）画像形成システムの動作
図５は画像形成システム１の動作の流れを示すフローチャートである。
以下、本実施形態に係る画像形成システム１の動作制御について、さらに具体的に説明する。
【００３３】
従来、画像形成指示装置１０から文書管理装置２０へ蓄積された文書情報の取得操作が行われた場合、操作者から操作者名やパスワードなどの入力を受けて、操作者の認証が行われていた。
一方、なりすまし又は誤って、正規の操作者以外が、文書管理装置２０へ蓄積された文書情報の取得操作を行った場合には、その操作者の特定を行うことができなかった。
また、印刷指示したユーザーがなりすまして印刷物を持ち去ることを抑制することができなかった。
【００３４】
本実施形態に係る画像形成システム１は、画像形成指示装置１０が、人検知カメラ１２０で撮像された操作者の顔を含む画像データと、文書情報を特定する特定情報を文書管理装置２０へ送出する。文書管理装置２０は、予め登録された操作者の画像と画像形成指示装置１０から送出された操作者の画像とを比較して文書情報の提供を行うか否か判断する。
【００３５】
そして、文書管理装置２０から文書情報を受け取った画像形成指示装置１０は、形成の対称となる文書情報と操作者の画像データを画像形成装置３０へ送信し、画像形成装置３０は、画像形成指示装置１０から送信された操作者の画像と画像形成装置３０側で撮像された操作者の画像とを比較して形成の対象となる文書情報に基づく画像形成の処理を実行するか否かを判断する。
【００３６】
画像形成指示装置１０は、操作者から文書の取得指示を受け付けると（Ｓ１０１）、制御部１３は、制御部１５０を介して、人検知カメラ１２０へ撮像開始を指示する（Ｓ１０２）。
そして、映像出力部１２２は、撮像部１２１によって撮像した操作者の顔を含む画像を画像蓄積部１３０に一時的に記憶する（Ｓ１０３）。具体的には、映像出力部１２２は、画像センサ１２１ａから出力された撮像データに対して、デジタル変換、ノイズ除去といった処理を施し、得られたデジタルデータを揮発メモリからなる画像蓄積部１３０に一時的に記録する。
【００３７】
そして、制御部１３は、画像蓄積部１３０に一時的に記憶された画像データを取得して、形成の対象となる文書情報を特定する特定情報とともに通信部１４を介して文書管理装置２０へ送出する（Ｓ１０４）。
【００３８】
文書管理装置２０は、画像形成指示装置１０から受信した操作者の画像データと予め記憶部２５に格納された操作者の画像データとを比較して操作者の認証を行う（Ｓ１０５）。
その結果、一致点が一定以上存在し双方の画像が一致すると判断された（Ｓ１０５：Ｙｅｓ）場合、文書情報を特定する特定情報に基づいて形成の対象となる文書情報の文書データを画像形成指示装置１０へ送信する（Ｓ１０６）。
【００３９】
画像形成指示装置１０は、文書管理装置２０から受信した文書データを表示部１７に表示させ（Ｓ１０７）、印刷ジョブデータを生成して（Ｓ１０８）印刷ジョブと画像蓄積部１３０に一時的に記憶した操作者の画像データを画像形成装置３０に送信する（Ｓ１０９）。
【００４０】
画像形成装置３０は、印刷ジョブと操作者の画像データを受信して、人感センサ１１０で操作者が検知されると、人感センサ１１０の検知信号に基づいて、人検知カメラ１２０をＯＮにして操作者の顔を含む画像を撮像する（Ｓ１１０）。
【００４１】
次に、操作者の画像データと画像形成装置３０側の人検知カメラ１２０で撮像された操作者の顔を含む画像データとを比較して操作者が一致するか否かの判断を行う（Ｓ１１１）。
【００４２】
そして、一致点が一定以上存在し双方の画像が一致すると判断された（Ｓ１１１：Ｙｅｓ）場合、印刷ジョブをコントローラ部３４２で印刷処理要求に応じた画像データに変換して記録媒体としての用紙に印刷する（Ｓ１１２）。
その結果、形成の対象となる文書情報は、画像形成指示装置１０で印刷指示を行った操作者と画像形成装置３０側で撮像された操作者の顔画像が一定以上一致したと判断された場合に印刷され、印刷文書の持ち去りを抑制することができる。
【００４３】
「第２実施形態」
図６は画像形成システム１Ａの動作の流れを示すフローチャートである。
以下、本実施形態に係る画像形成システム１Ａの動作制御について、さらに具体的に説明する。尚、第１実施形態に係る画像形成システム１と共通の構成要素には、同一の符号を付し、その詳細な説明は省略する。
【００４４】
本実施形態に係る画像形成システム１Ａは、画像形成指示装置１０が、人検知カメラ１２０で撮像された操作者の顔を含む画像データと、文書情報を特定する特定情報を文書管理装置２０へ送出する。文書管理装置２０は、予め登録された操作者の画像と画像形成指示装置１０から送出された操作者の画像とを比較して文書情報の提供を行うか否か判断する。
【００４５】
そして、文書管理装置２０から文書情報を受取った画像形成指示装置１０は、形成の対称となる文書情報を画像形成装置３０へ送信する際に、画像形成指示装置１０の現在の操作者の画像を撮像し、撮像された現在の操作者の画像と文書管理装置２０へ送出された操作者の画像とを比較して、文書管理装置２０から受け取った文書情報を画像形成装置３０へ送信するか否かを判断する。
【００４６】
画像形成指示装置１０は、操作者から文書の取得指示を受け付けると（Ｓ２０１）、制御部１３は、制御部１５０を介して、人検知カメラ１２０へ撮像開始を指示する（Ｓ２０２）。
そして、映像出力部１２２は、撮像部１２１によって撮像した操作者の顔を含む画像を画像蓄積部１３０に一時的に記憶する（Ｓ２０３）。
【００４７】
そして、制御部１３は、画像蓄積部１３０に一時的に記憶された画像データを取得して、形成の対象となる文書情報を特定する特定情報とともに通信部１４を介して文書管理装置２０へ送出する（Ｓ２０４）。
【００４８】
文書管理装置２０は、画像形成指示装置１０から受信した操作者の画像データと予め記憶部２５に格納された操作者の画像データとを比較して操作者の認証を行う（Ｓ２０５）。
その結果、一致点が一定以上存在し双方の画像が一致すると判断された（Ｓ２０５：Ｙｅｓ）場合、文書情報を特定する特定情報に基づいて形成の対象となる文書情報の文書データを画像形成指示装置１０へ送信する（Ｓ２０６）。
【００４９】
画像形成指示装置１０は、文書管理装置２０から受信した文書データを表示部１７に表示させ（Ｓ２０７）、現在の操作者の画像を撮像する（Ｓ２０８）。そして、画像蓄積部１３０に一時的に記憶された操作者の画像データと撮像された現在の操作者の画像とを比較して操作者が一致するか否かの判断を行う（Ｓ２０９）。
【００５０】
そして、一致点が一定以上存在し双方の画像が一致すると判断された（Ｓ２０９：Ｙｅｓ）場合、印刷ジョブデータを生成して（Ｓ２１０）印刷ジョブを画像形成装置３０に送信する（Ｓ２１１）。画像形成装置３０は、受信した印刷ジョブをコントローラ部３４２で印刷処理要求に応じた画像データに変換して記録媒体としての用紙に印刷する（Ｓ２１２）。
その結果、画像形成指示装置１０を使用するユーザーのなりすましを抑制することができる。  
【符号の説明】
【００５１】
１、１Ａ・・・画像形成システム
１０・・・画像形成指示装置
１３・・・制御部
１４・・・通信部
１５・・・記憶部
１６・・・操作部
１７・・・表示部
２０・・・文書管理装置
２３・・・制御部
２４・・・通信部
２５・・・記憶部
３０・・・画像形成装置
３１・・・読取部
３２・・・画像形成部
３３・・・操作情報部
３４・・・制御装置
１００、１００Ａ・・・人検知装置
１１０・・・人感センサ
１２０、１２０Ａ・・・人検知カメラ
１２１・・・撮像部 
１２２・・・映像出力部
１３０・・・画像蓄積部 
１４０・・・送信部 
１５０・・・制御部
【図１】
0006390430.tif 000002
【図２】
0006390430.tif 000003
【図３】
0006390430.tif 000004
【図４】
0006390430.tif 000005
【図５】
0006390430.tif 000006
【図６】
0006390430.tif 000007